(57)【特許請求の範囲】
【請求項１】
透液性表面シートと裏面シートとの間に吸収体が介在された吸収性物品において、
前記吸収体は、吸収性物品の略長手方向に沿って配設された左右一組の吸収体要素から構成され、これら左右一組の吸収体要素が少なくとも着用者の排血口部に相当する部位を含む領域で交差するように配置され、かつ前記裏面シートの外面にショーツに対して粘着させる少なくとも２条の粘着剤層を備えるとともに、該粘着剤層が各吸収体要素に沿うとともに、ほぼ着用者の排血口部に対応する部位で交差するように形成されていることを特徴とする吸収性物品。
【請求項２】
透液性表面シートと裏面シートとの間に吸収体が介在された吸収性物品において、
前記吸収体は、吸収性物品の略長手方向に沿って配設された左右一組の吸収体要素から構成され、これら左右一組の吸収体要素が少なくとも着用者の排血口部に対応する部位を含む領域で交差するように配置されるとともに、一方側の吸収体要素は平面視でく字状に屈曲した平面形状とされ、他方側の吸収体要素は平面視で逆く字状に屈曲した平面形状とされ、かつ前記裏面シートの外面にショーツに対して粘着させる少なくとも２条の粘着剤層を備えるとともに、該粘着剤層が各吸収体要素に沿うとともに、ほぼ着用者の排血口部に対応する部位で交差するように形成されていることを特徴とする吸収性物品。
【請求項３】
前記各吸収体要素が組み合わされた状態で、着用者の股下部に相当する部位の幅寸法が最も小さくなっている請求項１〜２いずれかに記載の吸収性物品。
【請求項４】
着用者の排血口部に対応する部位よりも吸収性物品の前側領域において、各吸収体要素同士がほぼ一致するように重なって配置されている請求項１〜３いずれかに記載の吸収性物品。
【請求項５】
各吸収体要素は、吸収性物品の前側部分における外縁側部分と、吸収性物品の後側部分における内縁側部分とが他の部分よりも薄く形成されている請求項１〜４いずれかに記載の吸収性物品。
【請求項６】
前記各吸収体要素において、対となる吸収体要素に対向する側辺の後端部を隅切りしておき、各吸収体要素が組み合わされた状態で、吸収体の後端部中央に切欠き部を設けてある請求項１〜５いずれかに記載の吸収性物品。
【請求項７】
前記各吸収体要素が組み合わされた状態で、前記裏面シートと吸収体との間であって吸収性物品の後側部分に、吸収体中央の長手方向に沿って弾性体が配設されている請求項１〜６いずれかに記載の吸収性物品。
【請求項８】
前記各吸収体要素が組み合わされた状態で、その幅方向中央に長手方向に沿って親水性のセカンドシートが配設されている請求項１〜７いずれかに記載の吸収性物品。
【請求項９】
前記吸収性物品の使用面側の両側部に、弾性伸縮部材による収縮力によって使用面側に起立する立体ギャザーが備えられるとともに、該立体ギャザーは略各吸収体要素の交差部に対応する範囲のみが起立するように設けられている請求項１〜８いずれかに記載の吸収性物品。
【請求項１０】
前記各吸収体要素はそれぞれがクレープ紙によって囲繞されている請求項１〜９いずれかに記載の吸収性物品。
【請求項１１】
前記各吸収体要素は、クレープ紙によって囲繞されずに、直接、前記表面シートと裏面シートとの間に介在させてある請求項１〜９いずれかに記載の吸収性物品。
【請求項１２】
前記各吸収体要素の交差部において、上面側からエンボスを付与することにより前記吸収体要素同士が接合されている請求項１〜１１いずれかに記載の吸収性物品。
【請求項１３】
前記裏面シートの外面であって前記吸収性物品の後側部分において、幅方向中央部に長手方向に沿って粘着剤層が形成されている請求項１〜１２いずれかに記載の吸収性物品。
【発明の詳細な説明】
【技術分野】
【０００１】
本発明は、主には生理用ナプキン、おりものシート、失禁パッド、医療用パッド、トイレタリー等に使用される吸収性物品に係り、身体にフィットしてヨレ難く、かつ身体の動きに追従し易い吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布又は透液性プラスチックシートなどの透液性表面シートとの間に粉砕パルプ等の紙綿からなる吸収体を介在したものが知られている。
【０００３】
これらの吸収性物品は、体液等の漏れを防止することを目的として、例えば下記特許文献１，２に示されるように、種々の身体へのフィット性を向上させる手段を施したものが知られている。具体的には、下記特許文献１では、複数のエンボス溝を吸収体の上面から吸収体の内部に向けて形成することにより、着用者の身体の曲面に沿って折れ曲がるようにして、身体の曲面へのフィット性を向上させ、漏れを防止している。
【０００４】
また、下記特許文献２では、吸収体は、その肌当接面側に、該吸収体より幅狭で且つ凸状に突出する中高部を有しており、該中高部は、吸収性物品の前方部及び後方部に、それぞれ別個に設けられている前方中高部と後方中高部とからなり、該前方中高部と該後方中高部との間に前方部又は後方部の変形を、互いに影響させない折曲げ起点が設けられることによって、前方部又は後方部の変形が、互いに影響を及ぼさないようにしている。
【先行技術文献】
【特許文献】
【０００５】
【特許文献１】特開２００６−１４９４１３号公報
【特許文献２】特開２００６−２３９１６２号公報
【発明の概要】
【発明が解決しようとする課題】
【０００６】
しかしながら、上記特許文献１、２記載の吸収性物品では、吸収体の表面に中高部を形成することによって身体へのフィット性は向上できるものの、吸収性物品が覆う身体の部分のうち、広い範囲を占める臀部の動きなどによって、着用時に吸収性物品全体にねじれ変形が生じた場合、体液排出部に密着していた中高部にヨレが生じて、フィット性が失われるとともに、体液が漏れ出るおそれがあった。
【０００７】
そこで、本発明の主たる課題は、着用時に、身体の動き、特に吸収性物品がねじれ変形を生じるような身体の動きに対して追従性がよく、身体へフィットさせることができ、それに伴い漏れが確実に防止できる吸収性物品を提供することにある。
【課題を解決するための手段】
【０００８】
前記課題を解決するために請求項１に係る本発明として、透液性表面シートと裏面シートとの間に吸収体が介在された吸収性物品において、
前記吸収体は、吸収性物品の略長手方向に沿って配設された左右一組の吸収体要素から構成され、これら左右一組の吸収体要素が少なくとも着用者の排血口部に相当する部位を含む領域で交差するように配置され、かつ前記裏面シートの外面にショーツに対して粘着させる少なくとも２条の粘着剤層を備えるとともに、該粘着剤層が各吸収体要素に沿うとともに、ほぼ着用者の排血口部に対応する部位で交差するように形成されていることを特徴とする吸収性物品が提供される。
【０００９】
上記請求項１記載の本発明では、前記吸収体が前記吸収性物品の略長手方向に沿って配設された左右一組の吸収体要素から構成され、少なくとも着用者の排血口部に相当する部位を含む領域で交差するように配置されているものであり、吸収性物品にねじれ変形などが生じても、前記交差部を基点として斜め方向に変形し易いため各吸収体要素が身体の動きに対して追従するようになる。さらに、前記交差部においては、各吸収体要素が重なって配置されており、十分な厚みが確保されるためヨレ難く、排血口部によりフィットできるようになり、体液の吸収性能が確保されるため、漏れを確実に防止できるようになる。
【００１０】
また、左右一組の粘着剤層が各吸収体要素に沿ってほぼ着用者の排血口部に対応する部位で交差するように設けられることにより、粘着剤層が身体のねじれ変形に伴う吸収体の動きを妨げないとともに、吸収体要素に沿って形成されているためショーツとのズレが防止される。
【００１１】
請求項２に係る本発明として、透液性表面シートと裏面シートとの間に吸収体が介在された吸収性物品において、
前記吸収体は、吸収性物品の略長手方向に沿って配設された左右一組の吸収体要素から構成され、これら左右一組の吸収体要素が少なくとも着用者の排血口部に対応する部位を含む領域で交差するように配置されるとともに、一方側の吸収体要素は平面視でく字状に屈曲した平面形状とされ、他方側の吸収体要素は平面視で逆く字状に屈曲した平面形状とされ、かつ前記裏面シートの外面にショーツに対して粘着させる少なくとも２条の粘着剤層を備えるとともに、該粘着剤層が各吸収体要素に沿うとともに、ほぼ着用者の排血口部に対応する部位で交差するように形成されていることを特徴とする吸収性物品が提供される。
【００１２】
上記請求項２記載の本発明は、具体的な実施態様を示したものであり、各吸収体要素を対称的に平面視でく字状に屈曲した平面形状とすることにより、前記交差部を有する吸収体が実現できるものである。なお、吸収体のパルプ積繊設備や搬送ラインなど設備コストの関係上、各吸収体要素は同形状のものとし、一方の吸収体要素を反転して製造することが望ましい。
【００１３】
請求項３に係る本発明として、前記各吸収体要素が組み合わされた状態で、着用者の股下部に相当する部位の幅寸法が最も小さくなっている請求項１〜２いずれかに記載の吸収性物品が提供される。
【００１４】
上記請求項３記載の本発明では、各吸収体要素が組み合わされた状態で、着用者の股下部に相当する部位の幅寸法が最も小さく形成されることにより、吸収体を着用者の脚周りに違和感なくフィットさせることができるようになる。
【００１５】
請求項４に係る本発明として、着用者の排血口部に対応する部位よりも吸収性物品の前側領域において、各吸収体要素同士がほぼ一致するように重なって配置されている請求項１〜３いずれかに記載の吸収性物品が提供される。
【００１６】
上記請求項４記載の本発明は、着用者の排血口部に対応する部位よりも吸収性物品の前側領域において、各吸収体要素同士がほぼ一致するように重なって配置されているため、前側部分における体液の吸収量が増加するとともに、前側部分の剛度が高くなり、ヨレが防止され身体への密着性が向上できる。
【００１７】
請求項５に係る本発明として、各吸収体要素は、吸収性物品の前側部分における外縁側部分と、吸収性物品の後側部分における内縁側部分とが他の部分よりも薄く形成されている請求項１〜４いずれかに記載の吸収性物品が提供される。
【００１８】
上記請求項５記載の本発明では、上記のように形成した各吸収体要素を交差するように配設することにより、脚周り部分及び臀部の溝に沿った部分の吸収体が薄く形成されるようになる。このため、吸収性物品の着用時に、脚周りに違和感を与えることがなくなるとともに、吸収性物品を折り曲げて臀部の溝に挟み込みやすくなる。
【００１９】
請求項６に係る本発明として、前記各吸収体要素において、対となる吸収体要素に対向する側辺の後端部を隅切りしておき、各吸収体要素が組み合わされた状態で、吸収体の後端部中央に切欠き部を設けてある請求項１〜５いずれかに記載の吸収性物品が提供される。
【００２０】
上記請求項６記載の本発明では、前記切欠き部を設けておくことにより、着用時に、この切欠き部を手で摘んで吸収性物品を臀部の溝に容易に挟み込まれ易くでき着用手間が軽減する。
【００２１】
請求項７に係る本発明として、前記各吸収体要素が組み合わされた状態で、前記裏面シートと吸収体との間であって吸収性物品の後側部分に、吸収体中央の長手方向に沿って弾性体が配設されている請求項１〜６いずれかに記載の吸収性物品が提供される。
【００２２】
上記請求項７記載の本発明では、吸収性物品の後側部分を臀部の溝に沿って変形させ、臀部の溝に入り込みやすくするために、前記弾性体を配設するようにしたものである。
【００２３】
請求項８に係る本発明として、前記各吸収体要素が組み合わされた状態で、その幅方向中央に長手方向に沿って親水性のセカンドシートが配設されている請求項１〜７いずれかに記載の吸収性物品が提供される。
【００２４】
上記請求項８記載の本発明では、排血口部前側から臀部にかけての体液を素早く吸収して体液の漏れ防止を図るため、前記セカンドシートを配設するようにしたものである。
【００２５】
請求項９に係る本発明として、前記吸収性物品の使用面側の両側部に、弾性伸縮部材による収縮力によって使用面側に起立する立体ギャザーが備えられるとともに、該立体ギャザーは略各吸収体要素の交差部に対応する範囲のみが起立するように設けられている請求項１〜８いずれかに記載の吸収性物品が提供される。
【００２６】
上記請求項９記載の本発明は、体液の横漏れを必要最小限の資材で確実に防止するとともに、後部側での追従性を良好とするため、略各吸収体要素の交差部に対応する範囲のみが起立する立体ギャザーを設けるようにしたものである。
【００２７】
請求項１０に係る本発明として、前記各吸収体要素はそれぞれがクレープ紙によって囲繞されている請求項１〜９いずれかに記載の吸収性物品が提供される。
【００２８】
上記請求項１０記載の本発明は、各吸収体要素が身体の動きに合わせて変形し易くするため、各吸収体要素のそれぞれがクレープ紙によって囲繞されるようにしたものである。
【００２９】
請求項１１に係る本発明として、前記各吸収体要素は、クレープ紙によって囲繞されずに、直接、前記表面シートと裏面シートとの間に介在させてある請求項１〜９いずれかに記載の吸収性物品が提供される。
【００３０】
上記請求項１１記載の本発明では、各吸収体要素は、クレープ紙によって囲繞されずに、直接、前記表面シートと裏面シートとの間に介在させてあるため、クレープ紙で囲繞することによる吸収体の剛度化が防止され、身体の動きに対する追従性が妨げられることがなくなる。さらに、クレープ紙が介在しないため、表面シートから吸収体への体液の移行が素早く行われるようになる。
【００３１】
請求項１２に係る本発明として、前記各吸収体要素の交差部において、上面側からエンボスを付与することにより前記吸収体要素同士が接合されている請求項１〜１１いずれかに記載の吸収性物品が提供される。
【００３２】
上記請求項１２記載の本発明では、各吸収体要素の接合は、交差部において、上面側からエンボスを付与することによりなされるため、高い接合強度が得られるようになり、吸収性物品の後側部分で吸収体のねじれ変形が生じても、基点となる交差部においては確実にヨレが防止できる。
【００３３】
請求項１３に係る本発明として、前記裏面シートの外面にショーツに対して粘着させる複数条の粘着剤層を備えるとともに、該複数条の粘着剤層の内の１条が、前記吸収性物品の後側部分において幅方向中央部に長手方向に沿って形成されている請求項１〜１２いずれかに記載の吸収性物品が提供される。
【００３４】
上記請求項１３に係る本発明では、吸収性物品の後側幅方向中央部を使用面側に山折りとして臀部の溝に入り込ませようとした場合、本吸収性物品の場合は裏面側に形成された複数条の粘着剤層の内の１条が、吸収性物品の後側部分において幅方向中央部に長手方向に沿って形成されているため、該幅方向中央部を指で摘んで山折りにすると、粘着剤層同士が接着され谷折り状態が維持されるようになる。
【発明の効果】
【００３５】
以上詳説のとおり本発明によれば、着用時に、身体の動き、特に吸収性物品がねじれ変形を生じるような身体の動きに対して追従性がよく、身体へフィットさせることができ、それに伴って漏れが確実に防止できるようになる。
【図面の簡単な説明】
【００３６】
【図１】本発明に係る生理用ナプキン１の展開図である。
【図２】図１のII−II線矢視図である。
【図３】図１のIII−III線矢視図である。
【図４】吸収体４の他の形態例(その1)を示す平面図である。
【図５】吸収体４の他の形態例(その2)を示す平面図である。
【図６】吸収体４の他の形態例(その3)を示す、(A)は吸収体要素４Ａの平面図、(B)は組合せ状態を示す吸収体４の平面図である。
【図７】弾性体２２の配設状態を示す吸収体４の平面図である。
【図８】セカンドシート２３の配設状態を示す吸収体４の平面図である。
【図９】立体ギャザーＢＳの配設状態を示す生理用ナプキン１の展開図である。
【図１０】図９のX−X線矢視図である。
【図１１】吸収体４をクレープ紙５で囲繞する形態例を示す製造工程図(A)〜(C)である。
【図１２】各吸収体要素４Ａ、４Ｂをクレープ紙５で囲繞する形態例を示す製造工程図(A)〜(D)である。
【図１３】交差部８におけるエンボス２４の付与パターンを示す吸収体４の平面図(A)〜(D)である。
【図１４】粘着剤層２５、２６の配設パターン(その1)を示す生理用ナプキン１の裏面図である。
【図１５】粘着剤層２５、２６の配設パターン(その2)を示す生理用ナプキン１の裏面図である。
【図１６】粘着剤層２７、２７の配設パターンを示す生理用ナプキン１の裏面図である。
【発明を実施するための形態】
【００３７】
以下、本発明の実施の形態について図面を参照しながら詳述する。図１は本発明に係る生理用ナプキン１の展開図であり、図２は図１のII−II線矢視図、図３は図１のIII−III線矢視図である。
【００３８】
前記生理用ナプキン１は、ポリエチレンシートなどからなる不透液性裏面シート２と、経血やおりものなどを速やかに透過させる透液性表面シート３と、これら両シート２，３間に介装された綿状パルプまたは合成パルプなどからなる吸収体４と、この吸収体４の形状保持および拡散性向上のために前記吸収体４を囲繞するクレープ紙５とから主に構成され、かつ前記吸収体４の周囲においては、前記不透液性裏面シート２と透液性表面シート３又は前記サイド不織布７との外縁部がホットメルトなどの接着剤やヒートシール等の接着手段によって接合され、体液排出部Ｈの両側部には、前記不透液性裏面シート２及びサイド不織布７の積層部分によって側方に突出するウイング状フラップＷ、Ｗが形成されているとともに、これよりも臀部側に位置する部分に第２ウイング状フラップＷＢ、ＷＢが形成されている。
【００３９】
以下、さらに前記生理用ナプキン１の構造について詳述すると、
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００４０】
前記表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、エアスルー法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。
【００４１】
前記不透液性裏面シート２と表面シート３との間に介在される吸収体４は、綿状パルプからなるものが好ましい。このとき、綿状パルプ中に高吸水性樹脂を混入したもの、或いはパルプ中に化学繊維を混入させるとともに、高吸水性樹脂を混入したものを使用することもできる。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４の成形においては、積繊法、エアレイド法など公知の製法を用いることができるが、特に本発明では、エアレイド法などで成形した薄型吸収体における身体の動きに追従しにくいという問題が解決できる点で有効である。
【００４２】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００４３】
特に、本発明では、前記吸収体４は、図１に示されるように、生理用ナプキン１の略長手方向に沿って配設された左右一組の吸収体要素４Ａ、４Ｂから構成され、少なくとも着用者の排血口部Ｈに相当する部位を含む領域で交差する交差部８が形成されるように配置されている。さらに具体的には、前記吸収体４は、生理用ナプキン１の略長手方向に沿って配設された左右一組の吸収体要素から構成され、一方側の吸収体要素４Ａは平面視でく字状に屈曲した平面形状とされるとともに、他方側の吸収体要素４Ｂは平面視で逆く字状に屈曲した平面形状とされ、少なくとも着用者の排血口部Ｈに対応する部位を含む領域で交差するように配置されている。そして、前記各吸収体要素４Ａ、４Ｂは、生理用ナプキン１の後側部分において、幅方向中央部で長手方向に沿って互いに重なり合わないように平行配置されている。上述の構成により、吸収体要素４Ａ、４Ｂが積層された前記交差部８が体液排出部Ｈに密着して漏れを確実に防止するとともに、ナプキンの後側部分において、臀部の動きなどに伴うねじれ変形などが生じても、前記交差部８でのヨレが生じず、かつ前記交差部８を基点として斜め方向に変形し易いため各吸収体要素４Ａ、４Ｂが身体の動きに対して追従するようになり、体液の漏れを確実に防止できるようになる。
【００４４】
一方、本生理用ナプキン１の表面がわ両側部にはそれぞれ、長手方向に沿ってかつナプキン１のほぼ全長に亘ってサイド不織布７，７が設けられている。前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。一方、経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００４５】
前記サイド不織布７は、図２に示されるように、幅方向中間部より外側部分を吸収体側縁を若干越えて不透液性裏面シート２の外縁までの範囲に亘ってホットメルトなどの接着剤によって接着し、これら前記サイド不織布７と不透液性裏面シート２との積層シート部分又は前記サイド不織布７と不透液性裏面シート２との間に吸収体４が介在した積層部分により、ほぼ体液排出部Ｈに相当する吸収体側部位置に左右一対のウイングフラップＷ、Ｗを形成するとともに、これより臀部側位置に第２ウイング状フラップＷＢ、ＷＢを形成している。
【００４６】
次に、本発明に係る生理用ナプキン１の吸収体４の形態例について、具体例を挙げて説明する。上述の形態例では、前記吸収体要素４Ａ、４Ｂは、後側部分において、幅方向中央部で長手方向に沿って互いに重なり合わないように平行配置さるようになっていたが、図４に示されるように、前記各吸収体要素４Ａ、４Ｂは、生理用ナプキン１の後側部分において、幅方向中央部で長手方向に沿って互いに重なり合う重合部２０が形成されるように配置されている。なお、この重合部２０における各吸収体要素４Ａ、４Ｂの厚みは、他の部分と同等としてもよいが、吸収体４の剛度を低く抑える観点から、他の部分より薄く形成することが好ましい。
【００４７】
また、図１などに示されるように、前記吸収体４は、前記各吸収体要素４Ａ，４Ｂが組み合わされた状態で、着用者の股下部に相当する部位の幅寸法が最も小さく形成されることが好ましい。これにより、本生理用ナプキン１が着用者の脚周りに違和感なくフィットするようになる。
【００４８】
さらに、図５に示されるように、前記吸収体４は、着用者の排血口部Ｈに対応する部位よりも生理用ナプキン１の前側領域において、各吸収体要素４Ａ，４Ｂ同士がほぼ一致するように重なって配置されるように形成してもよい。前側部分の吸収体が二重構造とされることにより、前側部分の体液の吸収量が増加できるとともに、前側部分の剛度を高くすることができるため、ナプキンの後側部分でねじれ変形が生じたとしても、前側部分にヨレが生じず、ナプキンが確実に身体に密着した状態を維持できる。
【００４９】
また、図６に示されるように、各吸収体要素４Ａ、４Ｂは、生理用ナプキン１の前側部分における外縁側部分Ｔ１と、生理用ナプキン１の後側部分における内縁側部分Ｔ２とを他の部分よりも薄く形成することができる。これにより、同図(B)に示されるように、各吸収体要素４Ａ、４Ｂが組み合わされた状態で、体液排出部Ｈを含む領域では、通常の厚みで形成された吸収体要素４Ａ、４Ｂ同士が重ね合わされることにより、該体液排出部Ｈでの吸収性能を確保した上で、この体液排出部Ｈの両側部の脚周り部分では、前記外縁側部分Ｔ１、Ｔ１の吸収体厚が薄く形成されることにより、着用時に脚周りに違和感を与えることがなく、また後側部分における内縁側部分Ｔ２、Ｔ２の吸収体厚が薄く形成されることにより、臀部の溝に挟み込まれ易くなる。
【００５０】
次に、体液の後側からの漏れを防止することを目的として、臀部の溝にフィットさせるための手段について説明する。第１の手段として、図１などに示されるように、前記各吸収体要素４Ａ，４Ｂにおいて、対となる吸収体要素に対向する側辺の後端部を隅切りしておき、各吸収体要素４Ａ，４Ｂが組み合わされた状態で、吸収体４の後端部中央に切欠き部２１を設けるようにする。この切欠き部２１によって、着用時に、切欠き部２１の両側を指で摘むと山折りになり易く、ナプキンの後側部分を臀部の溝に挟み込ませることができる。
【００５１】
第２の手段として、図７に示されるように、前記各吸収体要素４Ａ，４Ｂが組み合わされた状態で、前記裏面シート２と吸収体４との間であって生理用ナプキン１の後側部分に、吸収体中央に長手方向に沿って弾性体２２を配設する。この弾性体２２の伸縮力によって、生理用ナプキン１の後側部分が、臀部の溝に沿って変形し、臀部の溝に入り込み易くすることができる。
【００５２】
次に、本発明に係る生理用ナプキン１について、体液の漏れをより確実に防止するために施すことが可能な手段について説明する。本発明に係る生理用ナプキン１は、図８に示されるように、前記各吸収体要素４Ａ，４Ｂが組み合わされた状態で、その幅方向中央に長手方向に沿って親水性のセカンドシート２３を配設することが好ましい。このセカンドシート２３を配設することにより、前側部分から後側部分にかけて、体液を素早く吸収体４に移行させることができるようになり、漏れが防止される。
【００５３】
また、本発明に係る生理用ナプキン１は、図９、図１０に示されるように、前記生理用ナプキン１の使用面側の両側部に、弾性伸縮部材による収縮力によって使用面側に起立する立体ギャザーＢＳ，ＢＳを備えるようにしてもよい。この場合、立体ギャザーＢＳは、略各吸収体要素の交差部８に対応する範囲のみが起立するように設けられるようにする。
【００５４】
前記立体ギャザーＢＳは、前記サイド不織布７の内方側部分がほぼ二重に折り返されるとともに、この二重シート内部に、その高さ方向中間部に両端または長手方向の適宜の位置が固定された糸状弾性伸縮部材１０が配設されるとともに、前記糸状弾性伸縮部材１０の上側部位に複数本の、図示例では２本の糸状弾性伸縮部材１１，１１が両端または長手方向の適宜の位置が固定された状態で配設されることによって形成されている。この二重シート部分は前後端部では、断面Ｚ状に折り畳んで積層された状態で吸収体４側に接着されることによって、前記糸状弾性伸縮部材１０配設部位を屈曲点として、断面く字状に内側に開口を向けたポケットＰ、Ｐを形成しながら表面側に起立する立体ギャザーＢＳ、ＢＳが形成されている。
【００５５】
前記立体ギャザーＢＳは、前記透液性表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１８〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００５６】
次に、前記吸収体４をクレープ紙５によって囲繞する方法について、図１１、図１２に基づいて説明する。図１１は、前記各吸収体要素４Ａ、４Ｂが組み合わされた状態で、一体的にクレープ紙によって囲繞する場合の製造工程を示す図である。この場合、同図(A)に示されるように、各吸収体要素４Ａ、４Ｂは、組み合わされた状態で、クレープ紙ロール（図示せず）から繰り出されたクレープ紙５上の幅方向中央に載置される。その後、クレープ紙５の幅方向両側が吸収体４の上に折り曲げられて、個々に切断される（同図(B)参照）。そして、同図(C)に示されるように、吸収体４の周囲に沿ってクレープ紙５をカットして、次の製造工程に搬送される。
【００５７】
一方、図１２は、前記各吸収体要素がそれぞれクレープ紙によって囲繞される場合の製造工程を示す図である。この場合、同図(A)に示されるように、各吸収体要素４Ａ、４Ｂは、それぞれ、クレープ紙ロール（図示せず）から繰り出されたクレープ紙５の幅方向中央に載置される。その後、それぞれ、クレープ紙５の幅方向両側が吸収体要素４Ａ，４Ｂの上に折り曲げられて、個々に切断される（同図(B)参照）。そして、同図(C)に示されるように、それぞれクレープ紙５で囲繞された吸収体要素４Ａ、４Ｂ同士を組み合わせた後、同図(D)に示されるように、吸収体４の周囲に沿ってクレープ紙５をカットし、次の製造工程に搬送される。
【００５８】
さらに、本発明では、前記各吸収体要素４Ａ，４Ｂは、クレープ紙によって囲繞されずに、直接、表面シート３と裏面シート２との間に介在させるようにしてもよい。本実施態様では、クレープ紙が介在して吸収体の見かけの剛軟度が高くなることにより、身体の動きに対する追従性が妨げられることがなくなるとともに、クレープ紙が介在することにより、体液の浸透速度が低下することがなくなるため、好ましい。
【００５９】
ところで、前記吸収体要素４Ａ、４Ｂ同士は、各吸収体要素４Ａ、４Ｂの交差部８において、ホットメルト接着剤による接着手段やエンボス付与による接合手段などによって接合されている。特に本発明では、ナプキン後側部分での変形が前側部分のヨレなどに影響を与えないようにするため、前記交差部８での接合強度をある程度確保する必要性から、前記接合手段のうち、上面側からエンボス２４を付与することにより吸収体要素４Ａ、４Ｂ同士を接合することが好ましい。この場合、交差部８における前記エンボス２４の付与パターンは、図１３に示されるように、(A)直線クロス状、(B)ドット状、(C)円状、(D)多角形状（菱形状）など、種々の形態で施すことができる。
【００６０】
本発明に係る生理用ナプキン１は、前記裏面シート２の外面にショーツに対して粘着させる複数条の粘着剤層２５、２５…を設けることができる。前記粘着剤層２５、２５…を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００６１】
特に本発明では、図１４及び図１５に示されるように、前記複数条の粘着剤層の内の１条が、生理用ナプキン１の後側部分において幅方向中央部に長手方向に沿った粘着剤層２６とされている。この粘着剤層２６を設けることにより、生理用ナプキン１の後側部分を指で摘んで使用面側に山折りに形成した際、粘着剤層２６同士が接着され山折り状態が維持されるようになる。この粘着剤層２６は、図１５に示されるように、臀部の溝形状に、よりフィットさせるため、ナプキン１の後側部分から中央部にかけて漸次幅狭となるように三角形状に形成してもよい。
【００６２】
また、図１６に示されるように、裏面シート２の外面にショーツに対して粘着させる少なくとも２条の粘着剤層２７，２７を備えるとともに、該粘着剤層２７，２７が各吸収体要素４Ａ、４Ｂに沿うとともに、ほぼ着用者の排血口部Ｈに対応する部位で交差する態様で設けることができる。この場合は、粘着剤層２７，２７が身体のねじれ変形に伴う吸収体の動きを妨げないとともに、ショーツとのズレが防止できるようになるので好ましい。前記本体ズレ止め粘着剤層２７，２７の配設パターンは、同図(A)直線クロス状、(B)屈曲線クロス状など種々の態様とすることができる。また、同図(C)に示されるように、前述の臀部の溝にフィットさせるための粘着剤層２６と組み合わせて配設してもよい。
【符号の説明】
【００６３】
１…生理用ナプキン、２…不透液性裏面シート、３…透液性表面シート、４…吸収体、４Ａ・４Ｂ…吸収体要素、５…クレープ紙、７…サイド不織布、８…交差部、Ｈ…体液排出部
【図１】
0005476498.tif 000002
【図２】
0005476498.tif 000003
【図３】
0005476498.tif 000004
【図４】
0005476498.tif 000005
【図５】
0005476498.tif 000006
【図６】
0005476498.tif 000007
【図７】
0005476498.tif 000008
【図８】
0005476498.tif 000009
【図９】
0005476498.tif 000010
【図１０】
0005476498.tif 000011
【図１１】
0005476498.tif 000012
【図１２】
0005476498.tif 000013
【図１３】
0005476498.tif 000014
【図１４】
0005476498.tif 000015
【図１５】
0005476498.tif 000016
【図１６】
0005476498.tif 000017